(57)【要約】【課題】任意の文に対して翻訳が可能である機械翻訳からの翻訳結果と、例文に含まれている文に関してはほぼ１００％の翻訳性能になる例文翻訳からの翻訳結果の両方を同時に見比べることを可能にする自動翻訳システムを提供する。【解決手段】入力された文を機械翻訳手段２２と例文翻訳手段２３の両方に渡す入力テキスト分配手段２１を有し、機械翻訳手段２２と例文翻訳手段２３からの結果をまとめる結果統合手段２４を有することで、翻訳性能が１００％でない機械翻訳手段からの結果と、任意の文での翻訳が不可能な例文翻訳手段からの結果を並べて表示する。【選択図】図１
2007047976.tif 000002
【特許請求の範囲】
【請求項１】
原言語のテキストを目的言語のテキストに翻訳する機械翻訳手段と、
原言語のテキストを元に例文を検索して、その検索した例文に対応する目的言語の対訳テキストを得る例文翻訳手段と、
入力されたテキストを前記機械翻訳手段と前記例文翻訳手段の両方に分配する入力テキスト分配手段と、
前記機械翻訳手段と前記例文翻訳手段からの結果をまとめる結果統合手段と、
を備えることを特徴とする自動翻訳システム。
【請求項２】
前記結果統合手段が、前記機械翻訳手段からの結果を、前記例文翻訳手段からの複数の結果の１つとして表示できるようにまとめることを特徴とする請求項１に記載の自動翻訳システム。
【請求項３】
前記結果統合手段でまとめた結果を、ポインティング手段からの指示により選択できることを特徴とする請求項１または２に記載の自動翻訳システム。
【請求項４】
入力音声をテキストデータに変換するための音声認識手段を更に備え、
この音声認識されたデータを入力テキスト分配手段に入力することを特徴とする請求項１〜３のいずれかに記載の自動翻訳システム。
【請求項５】
入力されたテキストを機械翻訳処理と例文翻訳処理の両方に渡す入力テキスト分配ステップと、
原言語のテキストを目的言語のテキストに翻訳する機械翻訳処理ステップと、
原言語のテキストを元に例文を検索して、その検索した例文に対応する目的言語の対訳テキストを得る例文翻訳処理ステップと、
前記機械翻訳処理と前記例文翻訳処理からの結果をまとめる結果統合ステップと、
を含むことを特徴とする自動翻訳方法。
【請求項６】
前記機械翻訳処理の結果を、前記例文翻訳処理の複数の結果の１つとして表示できるようにまとめて結果統合することを特徴とする請求項５に記載の自動翻訳方法。
【請求項７】
前記結果統合した結果を、ポインティング手段からの指示により選択できることを特徴とする請求項５または６に記載の自動翻訳方法。
【請求項８】
入力音声をテキストデータに変換する音声認識ステップを更に含み、
この音声認識されたデータを入力としてテキスト分配することを特徴とする請求項５〜７のいずれかに記載の自動翻訳方法。
【請求項９】
入力されたテキストを機械翻訳処理と例文翻訳処理の両方に渡す入力テキスト分配機能と、
原言語のテキストを目的言語のテキストに翻訳する機械翻訳処理機能と、
原言語のテキストを元に例文を検索して、その検索した例文に対応する目的言語の対訳テキストを得る例文翻訳処理機能と、
前記機械翻訳処理と前記例文翻訳処理からの結果をまとめる結果統合機能と、
をコンピュータに実現させることを特徴とする自動翻訳プログラム。
【請求項１０】
前記機械翻訳処理の結果を、前記例文翻訳処理の複数の結果の１つとして表示できるようにまとめて結果統合する機能をコンピュータに実現させることを特徴とする請求項９に記載の自動翻訳プログラム。
【請求項１１】
前記結果統合した結果を、ポインティング手段からの指示により選択できる機能をコンピュータに実現させることを特徴とする請求項９または１０に記載の自動翻訳プログラム。
【請求項１２】
入力音声をテキストデータに変換する音声認識機能と、
この音声認識されたデータを入力としてテキスト分配する機能をコンピュータに実現させることを特徴とする請求項９〜１１のいずれかに記載の自動翻訳プログラム。
【請求項１３】
音声をテキストに変換する音声認識手段と、
テキストを元に例文を検索する例文検索手段と、
前記音声認識手段から出力されたテキストを前記例文検索手段に分配して渡す入力テキスト分配手段と、
前記入力テキスト分配手段から送られたテキストと、前記例文検索手段からの結果をまとめる結果統合手段と、
を備えたことを特徴とする音声認識システム。
【請求項１４】
前記結果統合手段が、前記音声認識手段から出力されたテキストを、前記例文検索手段からの複数の結果の１つとして表示できるようにまとめることを特徴とする請求項１３に記載の音声認識システム。
【請求項１５】
前記結果統合手段でまとめた結果を、ポインティング手段からの指示により選択できることを特徴とする請求項１３または１４に記載の音声認識システム。
【請求項１６】
音声をテキストに変換する音声認識ステップと、
この音声認識された出力テキストを例文検索処理に分配して渡す入力テキスト分配ステップと、
入力されたテキストを元に例文を検索する例文検索処理ステップと、
前記音声認識された出力テキストと、前記例文検索処理の結果をまとめる結果統合ステップと、
を含むことを特徴とする音声認識方法。
【請求項１７】
音声をテキストに変換する音声認識機能と、
この音声認識された出力テキストを例文検索処理に分配して渡す入力テキスト分配機能と、
入力されたテキストを元に例文を検索する例文検索処理機能と、
前記音声認識された出力テキストと、前記例文検索処理の結果をまとめる結果統合機能と、
をコンピュータに実現させることを特徴とする音声認識プログラム。
【発明の詳細な説明】
【技術分野】
【０００１】
本発明は、自動翻訳システムに関し、特に性質の違う複数の翻訳部を使い同時に結果を出力することで、ユーザの求める結果を簡単に得ることができる自動翻訳システムに関する。
【背景技術】
【０００２】
従来、翻訳システムには大きく分けて２つの種類があり、それぞれ利点と欠点がある。１つの目の翻訳システムの機械翻訳に関しては、任意の文に対して翻訳が可能であるが翻訳性能は１００％ではない。２つ目の翻訳システムの例文翻訳に関しては、ほぼ１００％の翻訳性能であるが、すべての文が例文に含まれないため任意の文での翻訳が不可能である。
【０００３】
これらの翻訳部を複数もつ自動翻訳システムは、翻訳部に機械翻訳を使って翻訳するか、例文翻訳を使って翻訳するかを、ユーザが明示的に指示していた（例えば、特許文献１参照）。
【特許文献１】特開２００３−３３０９２５号公報（段落［００１７］〜［００２４］、図１）
【発明の開示】
【発明が解決しようとする課題】
【０００４】
しかしながら、２つの翻訳システムが１つに統合されているが、ユーザはこの２つの翻訳システムのどっちを使うか明示的に指示することで翻訳結果を得られるような統合システムでは、ユーザが２つの翻訳システムからの翻訳結果を得たいときに、ユーザが明示的に片方ずつ翻訳をさせて、それぞれの翻訳結果を見比べる必要があるため大変である。
【０００５】
そこで本発明は、任意の文に対して翻訳が可能であるが翻訳性能は１００％ではない機械翻訳からの翻訳結果と、例文に含まれている文に関してはほぼ１００％の翻訳性能になるがすべての文が例文に含まれないため任意の文での翻訳が不可能な例文翻訳からの翻訳結果の両方を同時に見比べることを可能にする自動翻訳システムおよび方法並びにそのプログラムを提供することを目的とする。
【課題を解決するための手段】
【０００６】
上述の課題を解決するため、本発明は、入力テキスト分配手段により、入力されたテキストを機械翻訳手段と例文翻訳手段の双方に送り、結果統合手段で機械翻訳手段と例文翻訳手段からの結果をまとめてユーザに出力することを特徴とする。
【０００７】
以上の構成によって、ユーザが手間をかけることなく機械翻訳手段と例文翻訳手段からの結果を見比べることを可能にする。
【発明の効果】
【０００８】
本発明によれば、ユーザは、翻訳性能は１００％ではないが任意の文に対して翻訳が可能な機械翻訳の翻訳結果と、任意の文に対して翻訳はできないが例文に含まれている文に対してはほぼ１００％での翻訳性能をもつ例文翻訳との、お互い補完しあう翻訳結果を手間をかけることなく見比べることができる。
【０００９】
また、性質の異なる翻訳結果を容易に見比べることができるので、自分の伝えたいことが例文に含まれていなくても、任意の文が翻訳可能な機械翻訳での翻訳結果で補完したり、機械翻訳での翻訳性能の不確かさを例文翻訳の翻訳性能の確かさで補完したりすることができる。
【発明を実施するための最良の形態】
【００１０】
次に、本発明の最良の形態について図面を参照して説明する。
【００１１】
図１は、本発明の第１の実施形態の構成を示し、キーボード等の入力装置１０と、プログラム制御により動作する入力テキスト分配手段２１と、機械翻訳手段２２と、例文翻訳手段２３と、結果統合手段２４と、ディスプレイ等の出力装置４０とを含む。対訳例文３１は、例文翻訳用の原言語と目的言語の対訳が含まれている。
【００１２】
入力テキスト分配手段２１は、入力装置から得られた原言語テキストを機械翻訳手段２２と例文翻訳手段２３の両方に渡す。機械翻訳手段２２は、入力された原言語のテキストを目的言語のテキストに翻訳し、原言語のテキストと目的言語のテキストのペアを結果統合手段２４に渡す。例文翻訳手段２３は、対訳例文３１から、入力された原言語のテキストを元にして、入力文と近い例文を複数文検索し、その検索された原言語の例文とその例文に対応した訳文のペアの複数組を結果統合手段２４に渡す。結果統合手段は、機械翻訳手段２２から受け取った原言語のテキストと機械翻訳された目的言語のテキストのペアと、例文翻訳手段２３から受け取った原言語の例文とその例文に対する訳文のペアの複数組を受け取り、まとめる。
【００１３】
次に図２のフローチャートを参照して、本実施形態の動作について詳細に説明する。
【００１４】
キーボードなどの入力装置１０からテキストが入力されたとする。入力テキスト分配手段２１で、このテキストを、機械翻訳手段２２と例文翻訳手段２３の双方に送る（ステップＳ１）。
【００１５】
機械翻訳手段２２でこのテキストを翻訳し、例文翻訳手段２３でこのテキストをキーにして対訳例文３１から例文を検索して対訳を得る（ステップＳ２）。
【００１６】
結果統合手段２４で、機械翻訳手段２２から出力された原言語のテキストと翻訳後の目的言語のテキストのペアを、例文翻訳手段２３から出力された検索された原言語のテキストとその対訳となる目的言語のテキストのペアの複数の組を取得し、それをまとめて（ステップＳ３）、それを出力装置４０に出力する。
【００１７】
本実施形態では、機械翻訳手段と例文翻訳手段の複数の翻訳手段を持つ翻訳システムにおいて、入力テキストを２つの手段に送り、２つの手段からの結果をまとめて表示することで、ユーザは手間をかけることなく機械翻訳手段と例文翻訳手段からの結果を見比べることが可能になる。
【００１８】
次に、一例として、入力装置としてキーボードを、入力テキスト分配手段、機械翻訳手段、例文翻訳手段、結果統合手段としてパーソナルコンピュータを、対訳例文を記憶する手段として磁気ディスク記憶装置を、出力装置としてディスプレイを備えたシステムの表示例を説明する。
【００１９】
ユーザがキーボードから「一番近い駅はどこですか」と入力したとする。入力テキスト分配手段で、このテキストを機械翻訳手段と例文翻訳手段の双方に送る。機械翻訳手段では「一番近い駅はどこですか」という日本語のテキストから「Where is the closest station?」という英語のテキストが得られたとする。
【００２０】
また例文翻訳手段では「一番近い駅はどこですか」という日本語のテキストから、対訳例文に含まれている「ここから一番近い地下鉄の駅はどこですか」という日本語の文とこの日本語の文に対応する英語での対訳である「Where is the nearest subway station from here?」のペア、「一番近い銀行はどこですか」とその対訳の「Where is the nearest bank?」のペア、「駅はどこですか」とその対訳の「Where is the station?」のペアの３組が得られたとする。
【００２１】
図３及び図４は、出力装置の表示例を示す。結果統合手段では、機械翻訳手段からの日本語と英語のペアと、例文翻訳手段からの日本語と英語のペアの組を受けて、機械翻訳の内容を１行目に、例文翻訳手段の検索結果を２行目以降に表示し、機械翻訳の内容を例文翻訳の検索結果の選択肢の１つとして表示できるようにまとめ、出力装置でこれを出力する。
【００２２】
これによりユーザは２つの翻訳手段の内容を一覧することが可能である。またユーザは選択肢を上下キーやマウス等のポインティングデバイスで選択することにより、機械翻訳手段の結果と例文翻訳手段の翻訳結果を簡単に見ることが可能である。
【００２３】
また図５に示すように、対訳も同時に出力できるように結果統合手段でまとめて、出力装置で出力することで、機械翻訳の結果と例文翻訳の結果のすべての対訳を見ることも可能である。
【００２４】
更に、選択された目的言語のテキストを音声合成することで、相手に音声で内容を伝えることも可能である。また、選択された目的言語のテキストを別のアプリケーションに張り込むことも可能である。
【００２５】
図６は、第２の実施形態の構成を示す。本実施形態では第１の実施形態の構成に、音声認識手段２５が加わったものである。入力装置１０としてマイクロフォンを使い、ユーザはこのマイクロフォンに向かって「一番近い駅はどこですか」と発声し、音声認識手段で「一番近い駅はどこですか」というテキストに変換する。この後の処理は、第１の実施形態と同様である。
【００２６】
図７は、第３の実施形態の構成を示す。本実施形態では第２の実施形態の構成から機械翻訳手段２２を除き、例文翻訳手段２３を例文検索手段２６に置き換え、対訳例文３１を例文３２に置き換え、音声認識システムに応用したものである。
【００２７】
ユーザがマイクロフォンに向かって「一番近い駅はどこですか」と発声し、音声認識手段で「一番近い敵はどこですか」と誤認識されてしまったとする。入力テキスト分配手段は、このテキストを例文検索手段と結果統合手段の双方に送る。
【００２８】
例文検索手段では「一番近い敵はどこですか」という日本語のテキストから「一番の敵は自分です」「一番近い銀行はどこですか」「ここから一番近い地下鉄の駅はどこですか」の３文が得られたとする。
【００２９】
図８は、出力装置の表示例を示す。結果統合手段では入力テキスト分配手段からの音声認識結果と、例文検索手段で検索された日本語の文の組を、音声認識手段からの結果を１行目に、例文検索手段からの結果を２行目以降に表示し、音声認識の結果を例文検索の検索結果の選択肢の１つとして表示できるようにまとめ、出力装置でこれを出力する。
【００３０】
これにより、ユーザが実際に発声した文と近い文を選択することで、音声認識の認識率を例文検索の結果で補完することが可能になる。
【００３１】
携帯電話や携帯端末のようなキーボードでの入力が不便なハードウェアでメールなどを書く時に、この選択した文をメールに貼り付けることができる。
【図面の簡単な説明】
【００３２】
【図１】本発明の第１の実施形態の構成を示すブロック図である。
【図２】第１の実施形態の動作を示すフローチャートである。
【図３】第１の実施形態の表示例を示す図である。
【図４】第１の実施形態の表示例を示す図である。
【図５】第１の実施形態の表示例を示す図である。
【図６】第２の実施形態の構成を示すブロック図である。
【図７】第３の実施形態の構成を示すブロック図である。
【図８】第３の実施形態の表示例を示す図である。
【符号の説明】
【００３３】
１０  入力装置
２０  翻訳部
２１  入力テキスト分配手段
２２  機械翻訳手段
２３  例文翻訳手段
２４  結果統合手段
２５  音声認識手段
２６  例文検索手段
３１  対訳例文
３２  例文
４０  出力装置
【図１】
2007047976.tif 000003
【図２】
2007047976.tif 000004
【図３】
2007047976.tif 000005
【図４】
2007047976.tif 000006
【図５】
2007047976.tif 000007
【図６】
2007047976.tif 000008
【図７】
2007047976.tif 000009
【図８】
2007047976.tif 000010